(57)【要約】【課題】監視画面のチャンネルを切替えた際に発生するノイズの影響を確実に防止し得るＮ波復調装置を提供する。【解決手段】４波復調装置１０のＭＰＵ１１は、チャンネル切替え要求があると、フリーズＯＮ信号を４画面合成器２３に出力する。４画面合成器２３は、フリーズＯＮ信号が与えられると、チューナ１５ａ〜１５ｄからフレームメモリ２４への画像読込みを停止し、フレームメモリ２４に記憶されている静止画像をモニタ装置２５に出力して表示する。ＭＰＵ１１は、フリーズＯＮ信号を出力してから所定時間後にＰＬＬ回路３１に対するチャンネル切替え制御動作を開始し、ＰＬＬ回路３１からロック完了信号ＬＤが送られてくると、フリーズＯＦＦ信号を４画面合成器２３に出力する。これにより４画面合成器２３は、通常の状態に復帰する。【選択図】　　図１
2004048483.tif 000002
【特許請求の範囲】
【請求項１】
それぞれ高周波信号を受信し、画像信号を復調してＮ画面合成器に出力する複数のチューナと、前記各チューナの受信周波数をそれぞれ制御するＰＬＬ回路と、前記各チューナの受信チャンネルを前記ＰＬＬ回路を介して切替え制御する制御装置とを具備し、
前記制御装置は、前記チューナのチャンネルを切替える際、前記Ｎ画面合成器の出力として、フレームメモリに記憶されている前記チューナのチャンネルを切替える直前の静止画像を一定期間モニタ装置に出力して表示させることを特徴とするＮ波復調装置。
【請求項２】
それぞれ高周波信号を受信し、画像信号を復調してＮ画面合成器に出力する複数のチューナと、前記各チューナの受信周波数をそれぞれ制御するＰＬＬ回路と、前記各チューナの受信チャンネルを前記ＰＬＬ回路を介して切替え制御する制御装置とを具備し、
前記制御装置は、前記チューナのチャンネルを切替える際、前記Ｎ画面合成器の画面合成動作を一定期間フリーズさせる制御信号を出力することを特徴とするＮ波復調装置。
【請求項３】
それぞれ高周波信号を受信し、画像信号を復調してＮ画面合成器に出力する複数のチューナと、前記各チューナの受信周波数をそれぞれ制御するＰＬＬ回路と、前記各チューナの受信チャンネルを前記ＰＬＬ回路を介して切替え制御する制御装置とを具備し、
前記制御装置は、
前記チューナのチャンネルを切替える際、前記Ｎ画面合成器の画面合成動作をフリーズさせるフリーズＯＮ信号を出力する第１の手段と、
前記フリーズＯＮ信号を出力してから一定時間後に、前記ＰＬＬ回路に対してチャンネルの切替え制御を行なう第２の手段と、
前記ＰＬＬ回路によるチューナの受信周波数がロックしたことを検出して前記Ｎ画面合成器のフリーズ動作を解除するフリーズＯＦＦ信号を出力する第３の手段と、
を具備したことを特徴とするＮ波復調装置。
【発明の詳細な説明】
【０００１】
【発明の属する技術分野】
本発明は、遠方に設置した複数の監視カメラから高周波信号に変換されて送られてくる監視画像を復調し、画面合成してモニタ装置に表示するＮ波復調装置に関する。
【０００２】
【従来の技術】
従来、複数の監視カメラを用いた監視システムでは、監視カメラで撮影した監視画像を変調し、高周波信号として幹線により監視センタに送信する。監視センタでは、各監視カメラから幹線を介して送られてくる各チャンネルの高周波信号をＮ波復調装置例えば４波復調装置のチューナで選択して受信し、復調して複数のモニタ装置に表示する。
【０００３】
このように各監視カメラから送られてくる監視画像のチャンネルをチューナで選択して受信することにより、１つのモニタ画面で複数の監視カメラの画像を確認することができる。
しかし、監視センタの広さやシステムのコストの関係で１個所に設けられるモニタ装置の数には限りがあり、一度に見られるチャンネルの数が限られてしまうという問題がある。
【０００４】
そこで、最近では４画面合成器を使用し、４波復調装置の４つのチューナから出力されるＮＴＳＣ信号を合成してモニタ画面に表示する方法が考えられている。このように４画面合成器を使用して複数の画面を合成することにより、多くのチャンネルを１度に確認することができる。
【０００５】
【発明が解決しようとする課題】
しかし、上記のように４画面合成器を使用したシステムでは、４分割した画面でチャンネル切替えを行なうと、画面が切替わった際にノイズが発生し、画面が一時的に特定の色、例えば緑色系に変換されてしまい、非常に見苦しくなるといった問題が発生する。
【０００６】
４画面合成器は、４波復調装置のチャンネルが切替えられた際、４つの画面の同期を合わせるために一度フレームメモリの中にバッファとして保存した静止画の同期を合わせてから１枚の映像として出力するように構成されている。４画面合成器は、元々ベースバンドを想定して作られているので、チャンネルの切替えは想定されておらず、このためチャンネルが切替わった瞬間の前後の画面の同期信号タイミングや同期信号の波長が一致していない場合、あるいはペデスタルレベルの変動等により、画面が切替わった際に緑色のノイズとなって出力されると考えられる。
【０００７】
本発明は上記の課題を解決するためになされたもので、監視画面のチャンネルを切替えた際に発生するノイズの影響を確実に防止し得るＮ波復調装置を提供することを目的とする。
【０００８】
【課題を解決するための手段】
本発明に係るＮ波復調装置は、それぞれ高周波信号を受信し、画像信号を復調してＮ画面合成器に出力する複数のチューナと、前記各チューナの受信周波数をそれぞれ制御するＰＬＬ回路と、前記各チューナの受信チャンネルを前記ＰＬＬ回路を介して切替え制御する制御装置とを具備し、前記制御装置は、前記チューナのチャンネルを切替える際、前記Ｎ画面合成器の出力として、フレームメモリに記憶されている前記チューナのチャンネルを切替える直前の静止画像を一定期間モニタ装置に出力して表示させることを特徴とする。
【０００９】
上記のようにＮ波復調装置のチューナのチャンネルを切替える際、Ｎ画面合成器の出力として、フレームメモリに記憶されている前記チューナのチャンネルを切替える直前の静止画像を一定期間モニタ装置に出力して表示させることにより、監視画面のチャンネルを切替えた際に発生するノイズの影響を確実に防止することができる。
【００１０】
【発明の実施の形態】
以下、図面を参照して本発明の一実施形態を説明する。
図１は、本発明の一実施形態に係る画像監視システムの監視センタに設けられる４波復調装置の構成を示すブロック図である。４波復調装置１０は、全体を制御する制御装置例えばＭＰＵ１１、送信用の高周波モデム（ＲＦモデム）１２、リモコン受光部１３、及びチューナ部１４からなっている。
【００１１】
上記チューナ部１４は、４つのチューナ１５ａ〜１５ｄ及びＰＬＬ回路等により構成されるもので、その詳細については後述する。上記チューナ１５ａ〜１５ｄは、ＭＰＵ１１からの制御信号によってチャンネルが切替え制御されるもので、その入力側は切替回路２１を介して幹線２２及び他の幹線（図示せず）に接続され、出力側は４画面合成器２３に接続される。上記幹線２２は、監視場所に設置されている監視カメラ（図示せず）と監視センタとの間を接続する。
【００１２】
上記切替回路２１は、ＭＰＵ１１からの指示に従って幹線２２あるいは他の幹線（図示せず）から送られてくる監視画像を選択し、チューナ１５ａ〜１５ｄに入力する。４画面合成器２３は、ＭＰＵ１１の指示に従って動作し、チューナ１５ａ〜１５ｄから出力される映像信号をフレームメモリ２４により合成してモニタ装置２５に出力する。この場合、４画面合成器２３は、ＭＰＵ１１の指示により、４画面合成画像、あるいは選択された特定の１画像等をモニタ装置２５に表示することができる。
【００１３】
また、上記４波復調装置１０のリモコン受光部１３には、赤外線式のリモコン（リモートコントロール）２６が接続される。このリモコン２６は、例えば電源のオン／オフ、監視カメラの選択機能、選択した監視カメラに対する方向及びズーム指示、チューナ１５ａ〜１５ｄの受信チャンネル指定、４画面合成器２３に対する４画面合成指示、選択画面の拡大表示指示等の機能を備えている。リモコン受光部１３は、リモコン２６から送られてくる光信号を受信し、電気信号に変換してＭＰＵ１１に出力する。
【００１４】
ＭＰＵ１１は、リモコン２６からの指示等に従って動作し、チューナ１５ａ〜１５ｄ、切替回路２１、４画面合成器２３を制御すると共に、リモコン２６により監視カメラの方向等の操作が行なわれた場合には、その制御指令を高周波モデム１２に出力する。高周波モデム１２は、ＭＰＵ１１から与えられるカメラ制御信号を変調して高周波信号に変換し、幹線２２を介して監視カメラ側へ送出する。
【００１５】
上記ＭＰＵ１１は、リモコン２６によりチャンネル切替え指示が与えられた場合にチューナ１５ａ〜１５ｄのチャンネルを切替え制御し、あるいは予め設定した一定の時間間隔でチューナ１５ａ〜１５ｄのチャンネルを順次切替え制御するが、このチャンネル切替えを行なう際に、４画面合成器２３の画面合成動作を一定期間フリーズさせる。４画面合成器２３は、ＭＰＵ１１からの指示により画面合成動作をフリーズしている間、フレームメモリ２４に記憶している静止画をモニタ装置２５に表示し、フリーズが解除されると通常の状態に復帰し、チューナ１５ａ〜１５ｄから送られてくる画像によりフレームメモリ２４の記憶内容を書き替えてモニタ装置２５に出力する。
【００１６】
上記のようにチューナ１５ａ〜１５ｄのチャンネルを切替える際、４画面合成器２３の画面合成動作をフリーズすることにより、チャンネル切替えの際に発生するノイズの影響を防止する。
【００１７】
次に、チューナ部１４の詳細について図２により説明する。図２は、チューナ１５ａの系統について示したものであるが、他のチューナ１５ｂ〜１５ｄにおいても同様に構成される。
【００１８】
チューナ１５ａには、ＰＬＬ（ｐｈａｓｅ−ｌｏｃｋｅｄ　ｌｏｏｐ）回路３１が接続される。このＰＬＬ回路３１は、ＭＰＵ１１から与えられるデータ、クロック、イネーブル信号に基づいて基準信号発振器を動作させ、その発振周波数とチューナ１５ａの局部発振周波数ｆの位相を比較して位相差を検出し、この位相差に基づく制御電圧ＶＴをチューナ１５ａに出力してチューナ１５ａの局部発振周波数ｆを制御する。上記ＰＬＬ回路３１は、チューナ１５ａの局部発振周波数ｆがロックすると、ロック完了信号ＬＤをＭＰＵ１１に出力する。ＭＰＵ１１は、チャンネル切替えを行なう際に、４画面合成器２３にフリーズＯＮ信号を出力し、所定時間後にチューナ１５ａのチャンネル切替え、すなわち、ＰＬＬ回路３１に対するＰＬＬ制御を開始し、ＰＬＬ回路３１からロック完了信号ＬＤが出力されると、フリーズＯＦＦ信号を４画面合成器２３に出力する。
【００１９】
また、チューナ１５ａは、監視カメラ側から幹線２２を介して送られてくる高周波信号のチャンネルを上記ＰＬＬ回路３１により制御される局部発振周波数ｆに基づいて選択し、中間周波信号ＩＦに変換して出力する。このチューナ１５ａから出力される中間周波信号ＩＦは、中間周波増幅器３２で増幅された後、検波されて映像信号として取り出され、映像増幅器３３で増幅される。そして、この映像増幅器３３で増幅された信号が出力端子３４から４画面合成器２３へ送られる。
【００２０】
次に、上記実施形態の動作を図３に示すタイミングチャートを参照して説明する。
４波復調装置１０のＭＰＵ１１は、リモコン２６の操作によってチャンネル切替え要求があった場合にチューナ１５ａ〜１５ｄのチャンネルを切替える。また、ＭＰＵ１１は、監視員がチャンネル切替え操作を行なわない場合でも、一定時間毎にチューナ１５ａ〜１５ｄのチャンネル切替えを自動的に行ない、監視画像をモニタ装置２５に順次切替えて表示する。
【００２１】
上記ＭＰＵ１１は、チャンネル切替え要求があると（ステップＡ１）、フリーズＯＮ信号を４画面合成器２３に出力する（ステップＡ２）。４画面合成器２３は、ＭＰＵ１１からフリーズＯＮ信号が与えられると、チューナ１５ａ〜１５ｄからフレームメモリ２４への画像読込みを停止し、その時、フレームメモリ２４に記憶されている画像をモニタ装置２５に繰り返し出力し、モニタ装置２５に静止画を表示する。
【００２２】
また、ＭＰＵ１１は、上記フリーズＯＮ信号を出力してから所定時間後、例えば１００ｍｓｅｃ後にＰＬＬ回路３１に対するチャンネル切替え制御動作を開始する（ステップＡ３）。これはフレームメモリ２４の中に完全に１フレーム分の画像が入っている必要があるためで、１フレーム分の画像処理に最低６６ｍｓｅｃの時間が必要である。このため処理時間に余裕を持たせ、フリーズＯＮ信号を出力してからＰＬＬ回路３１に対するチャンネル切替え制御動作を開始するまでの時間を１００ｍｓｅｃ程度に設定している。
【００２３】
ＰＬＬ回路３１は、ＭＰＵ１１からのチャンネル指定（周波数指定）に従ってＰＬＬ制御動作を開始し、ロック動作が完了すると、ロック完了信号ＬＤをＭＰＵ１１に出力する。ＰＬＬ回路３１は、ＰＬＬ制御動作を開始してロック動作が完了するまでに、機器によって異なるが例えば１００〜２５０ｍｓｅｃの時間が掛かる。ＭＰＵ１１は、ＰＬＬ回路３１からロック完了信号ＬＤが送られてくると、フリーズＯＦＦ信号を４画面合成器２３に出力する（ステップＡ４）。
【００２４】
４画面合成器２３は、ＭＰＵ１１からフリーズＯＦＦ信号が送られてくると通常の状態に復帰し、チューナ１５ａ〜１５ｄから送られてくる画像によりフレームメモリ２４の記憶内容を書き替えてモニタ装置２５に出力する。
【００２５】
上記のようにチューナ１５ａ〜１５ｄのチャンネルを切替える際、４画面合成器２３の動作がフリーズされ、フレームメモリ２４に保持されている静止画像がモニタ装置２５に送られて表示されるので、チャンネル切替えの際に発生するノイズの影響を確実に防止することができる。上記４画面合成器２３がフリーズしている時間は、約３００ｍｓｅｃ程度であり、非常に短い時間であるので、監視動作に影響を与えることはない。
【００２６】
なお、上記実施形態では、４波復調装置１０及び４画面合成器２３に実施した場合について説明したが、４波あるいは４画面に限定されるものではなく、Ｎ波復調装置、Ｎ画面合成器に実施し得るものである。
【００２７】
【発明の効果】
以上詳記したように本発明によれば、複数の監視カメラにより撮影された監視画像をＮ波復調装置で復調し、Ｎ画面合成器で合成してモニタ装置に表示する監視システムにおいて、Ｎ波復調装置のチューナのチャンネルを切替える際、Ｎ画面合成器の動作を一定期間フリーズし、Ｎ画面合成器のフレームメモリに記憶されている静止画像をモニタ装置に出力して表示することにより、監視画面のチャンネルを切替えた際に発生するノイズの影響を確実に防止することができる。
【図面の簡単な説明】
【図１】本発明の一実施形態に係る４波復調装置及びその周辺部の構成を示すブロック図。
【図２】同実施形態におけるチューナ部の詳細を示すブロック図。
【図３】同実施形態におけるフリーズ切替えのタイミングを説明するためのタイミングチャート。
【符号の説明】
１０…４波復調装置
１１…ＭＰＵ
１２…高周波モデム
１３…リモコン受光部
１４…チューナ部
１５ａ〜１５ｄ…チューナ
２１…切替回路
２２…幹線
２３…４画面合成器
２４…フレームメモリ
２５…モニタ装置
２６…リモコン
３１…ＰＬＬ回路
３２…中間周波増幅器
３３…映像増幅器
３４…出力端子
【図１】
2004048483.tif 000003
【図２】
2004048483.tif 000004
【図３】
2004048483.tif 000005